(57)【要約】【課題】機能別にモジュールを分散させて、より便利に生体信号を測定することができる生体信号測定装置を提供する。【解決手段】機能別にモジュールが分散された生体信号測定装置が提供される。生体信号測定装置は、皮膚に接着されて生体信号を検出する第１及び第２検出電極と、第１検出電極に装着され、第１及び第２検出電極から検出された生体信号から生体信号データを生成する生体信号検出モジュールと、第２検出電極に装着され、生体信号検出モジュールに電源を供給する電源供給モジュール及び生体信号検出モジュールと電源供給モジュールを連結する連結線と、から構成される。【選択図】図３
2011015950.tif 000002
【特許請求の範囲】
【請求項１】
生体信号測定装置であって、
皮膚に接着されて生体信号を検出する第１及び第２検出電極と、
前記第１検出電極に装着されて前記第１及び第２検出電極から検出された前記生体信号から生体信号データを生成する生体信号検出モジュールと、
前記第２検出電極に装着されて前記生体信号検出モジュールに電源を供給する電源供給モジュールと、
前記生体信号検出モジュールと前記電源供給モジュールとを連結する連結線と
を含むことを特徴とする生体信号測定装置。
【請求項２】
前記生体信号検出モジュール及び前記電源供給モジュールの各々は、当該モジュールの動作状態を示す表示部と、使用者に当該モジュールの操作を提供する操作部とを含むことを特徴とする請求項１に記載の生体信号測定装置。
【請求項３】
前記生体信号検出モジュールは、複数個のモジュール連結ポートを含むことを特徴とする請求項１に記載の生体信号測定装置。
【請求項４】
前記モジュール連結ポートは、データ入出力ポート及び電源ポートを具備することを特徴とする請求項３に記載の生体信号測定装置。
【請求項５】
前記連結線は、柔軟性及び伸縮性を有することを特徴とする請求項１に記載の生体信号測定装置。
【請求項６】
前記生体信号検出モジュールは、
前記第１検出電極から検出された前記生体信号を増幅及びフィルタリングするアナログ信号処理部と、
アナログ信号である前記生体信号をデジタル信号である生体信号データに変換するアナログ-デジタル変換部と、
所定のデータ演算を通じて前記生体信号データを信号処理するデジタル信号処理部と
を含むことを特徴とする請求項１に記載の生体信号測定装置。
【請求項７】
前記第１及び第２検出電極は、一面には、皮膚表面に接着されることができる接着物質を有し、他面には、前記測定モジュールが装着されることができる固定部材を有することを特徴とする請求項１に記載の生体信号測定装置。
【請求項８】
前記電源供給モジュールは、使い捨てのバッテリー又は充電可能なバッテリーを具備することを特徴とする請求項１に記載の生体信号測定装置。
【請求項９】
前記生体信号測定装置は、心電図ＥＣＧ、筋電図ＥＭＧ、脳電図ＥＥＧ又は電気性皮膚反射ＧＳＲを測定することを特徴とする請求項１に記載の生体信号測定装置。
【請求項１０】
皮膚に接着されて生体信号を検出する第３検出電極と、
前記第３検出電極に装着されて前記生体信号検出モジュールから検出された前記生体信号データを外部機器に伝送する生体信号伝送モジュールと
をさらに含むことを特徴とする請求項１に記載の生体信号測定装置。
【請求項１１】
前記生体信号検出モジュールは、前記第１から第３の検出電極から検出された前記生体信号から前記生体信号データを生成することを特徴とする請求項１０に記載の生体信号測定装置。
【請求項１２】
前記生体信号伝送モジュールは、前記生体信号検出モジュール及び/又は前記電源供給モジュールと連結されることを特徴とする請求項１０に記載の生体信号測定装置。
【請求項１３】
前記生体信号伝送モジュールは、
モジュールの動作状態を示す表示部と、
使用者に前記生体信号伝送モジュールの操作を提供する操作部と、
前記生体信号検出から前記生体信号データが入力されるデータ入力部と、
前記外部機器に前記生体信号データを有線及び無線に伝送する有無線データ伝送部と
を含むことを特徴とする請求項１０に記載の生体信号測定装置。
【請求項１４】
前記生体信号伝送モジュールは、複数個のモジュール連結ポートを含むことを特徴とする請求項１０に記載の生体信号測定装置。
【請求項１５】
皮膚に接着されて生体信号を検出する第４検出電極と、
前記第４検出電極に装着されて前記生体信号検出モジュールから検出された前記生体信号データを格納する生体信号格納モジュールと
をさらに含むことを特徴とする請求項１に記載の生体信号測定装置。
【請求項１６】
前記生体信号検出モジュールは、前記第１から第４の検出電極から検出された前記生体信号から前記生体信号データを生成することを特徴とする請求項１５に記載の生体信号測定装置。
【請求項１７】
前記生体信号格納モジュールは、前記生体信号検出モジュール及び/又は前記電源供給モジュールと連結されることを特徴とする請求項１５に記載の生体信号測定装置。
【請求項１８】
前記生体信号格納モジュールは、前記生体信号格納モジュールの動作状態を示す表示部と、使用者に前記生体信号格納モジュールの操作を提供する操作部と、を含むことを特徴とする請求項１５に記載の生体信号測定装置。
【請求項１９】
前記生体信号格納モジュールは、複数個のモジュール連結ポートを含むことを特徴とする請求項１５に記載の生体信号測定装置。
【請求項２０】
皮膚に接着されて生体信号を検出する第３及び４検出電極と、
前記第３検出電極に装着されて前記生体信号検出モジュールから検出された前記生体信号データを外部機器に伝送する生体信号伝送モジュールと、
前記第４検出電極に装着されて前記生体信号検出モジュールから検出された前記生体信号データを格納する生体信号格納モジュールと
をさらに含み、前記生体信号伝送モジュール及び前記生体信号格納モジュールは、複数個のモジュール連結ポートを含むことを特徴とする請求項１に記載の生体信号測定装置。
【発明の詳細な説明】
【技術分野】
【０００１】
本発明は、生体信号測定装置に関し、より詳細には、機能別にモジュールを分散させて、より便利に生体信号を測定することができる生体信号測定装置に関する。
【背景技術】
【０００２】
最近、健康に対する関心が高まることによって、医療技術とＩＴ技術が融合されたユビキタスヘルスケア（ｕｂｉｑｕｉｔｏｕｓ  ｈｅａｌｔｈｃａｒｅ）が多く関心を引いている。ユビキタスヘルスケアは、場所に関係なく健康と関連された生体信号（ｐｈｙｓｉｏｌｏｇｉｃａｌ  ｓｉｇｎａｌｓ）をリアルタイムに収集し、健康管理サービスセンタに伝送して健康異常の発生可否を確認し、適切な措置を行なって持続的な健康管理及び疾病管理サービスを提供する。
【０００３】
ユビキタスヘルスケアは、血圧、血糖、体重、心電図、運動量、呼吸、温度など健康に関連された多様な生体信号を場所に関係なく、容易に測定することができる生体信号測定装置と、測定された生体信号を多様な有無線通信技術を利用して伝送するネットワークと、伝送された情報を収集して運営する情報収集及び運営システムと、収集された情報を分析して多様な形態のサービスを提供する応用サービスに構成されることができる。
【０００４】
ユビキタスヘルスケアで生体信号を測定するための装置は、皮膚に付着して生体電位（ｂｉｏ−ｐｏｔｅｎｔｉａｌ）を測定する電極と、電源供給部及び電極を通じて測定された生体信号を解析及び処理するコントローラと、を含む。
【０００５】
一般的な人体付着型の生体信号測定装置の場合、全ての構成要素が一つのパッケージ内に配置される。これによって、人体の一部分に加えられる機器の体積と重さの増加による異物感がひどくなり、使用するのに面倒くさくなる問題点がある。又、装置の重さを支えるためにより強力な接着力を有した電極を使用しなければならないので、皮膚トラブルが誘発されうる。又、長時間の生体信号測定が必要な慢性疾患患者、或いは追跡患者の場合、使用が不便でありうる。
【先行技術文献】
【特許文献】
【０００６】
【特許文献１】米国特許公開第２００７−００２７３８８号公報
【発明の概要】
【発明が解決しようとする課題】
【０００７】
本発明は、上述の問題点に鑑みてなされたもので、その目的は、便利に生体信号を測定することができる生体信号測定装置を提供することにある。
【０００８】
本発明のまた他の目的は、上述で言及した課題に制限されるものではなく、言及されないまた他の課題は後述の記載から当業者に明確に理解されることができるはずである。
【課題を解決するための手段】
【０００９】
上述の目的を達成するため、本発明の一実施形態による生体信号測定装置は、皮膚に接着されて生体信号を検出する第１及び第２検出電極と、第１検出電極に装着され、第１及び第２検出電極から検出された生体信号から生体信号データを生成する生体信号検出モジュールと、第２検出電極に装着され、生体信号検出モジュールに電源を供給する電源供給モジュールと、生体信号検出モジュールと電源供給モジュールを連結する連結線とから構成される。
【００１０】
その他の実施形態の具体的な事項は、詳細な説明及び図面に含まれている。
【発明の効果】
【００１１】
本発明の生体信号測定装置によると、生体信号を測定するのに必要なモジュールを機能別に分散設計することによって、生体信号測定の際に人体の１ケ所に異物感が集中されることを減らすことができる。従って、生体信号測定の際に測定装置が人体で落ちることを防止することができ、生体信号の長時間の測定が容易である。
【００１２】
又、モジュールを機能別に分散設計することによって、長時間の生体信号測定の際に生体信号の格納のためのメモリの追加及び交替が可能であり、バッテリーの交替などが容易であることができる。
【００１３】
又、生体信号測定装置を構成するモジュールが分散されるので、各モジュールのサイズを減らすことができる。
【図面の簡単な説明】
【００１４】
【図１】本発明の一実施形態による生体信号測定装置の概略構成図である。
【図２】本発明の一実施形態による生体信号測定装置で検出電極とモジュールとの間の結合を示す図である。
【図３】本発明の一実施形態による生体信号測定装置の分散されたモジュールの各々の構成を示す図である。
【図４】本発明の一実施形態による生体信号測定装置の使用形態を示す図である。
【図５】本発明の他の実施形態による生体信号測定装置の概略構成図である。
【図６】本発明の他の実施形態による生体信号測定装置の分散されたモジュールの各々の構成を示す図である。
【図７】本発明の他の実施形態による生体信号測定装置の使用形態を示す図である。
【図８】本発明のまた他の実施形態による生体信号測定装置の概略構成図である。
【図９】本発明のまた他の実施形態による生体信号測定装置の分散されたモジュールの各々の構成を示す図である。
【図１０】本発明のまた他の実施形態による生体信号測定装置の使用形態を示す図である。
【図１１】本発明の実施形態による生体信号測定装置でモジュールの間の多様な連結形態を示す図である。
【図１２】本発明の実施形態による生体信号測定装置でモジュールの間の多様な連結形態を示す図である。
【図１３】本発明の実施形態による生体信号測定装置でモジュールの間の多様な連結形態を示す図である。
【図１４】本発明の実施形態による生体信号測定装置でモジュールの間の多様な連結形態を示す図である。
【発明を実施するための形態】
【００１５】
本発明の利点及び特徴、そしてそれらを達成する方法は添付される図面と共に詳細に後述される実施形態を参照すると明確になる。しかし、本発明は、以下で開示される実施形態に限定されるものではなく、互いに異なる多様な形態に具現されることができ、但し本実施形態は、本発明の開示が完全になるようにし、本発明が属する技術分野で通常の知識を有した者に発明の範囲を完全に知らせるために提供されるものであり、本発明は、請求項の範囲によって定義されるだけである。明細書の全体にかけて同一の参照符号は同一の構成要素を示す。
【００１６】
本明細書で使われた用語は、実施形態を説明するためのことであり、本発明を制限しようとするものではない。本明細書で、単数型は特別に言及しない限り複数型も含む。明細書で使われる‘含む’は、言及された構成要素、段階、動作及び/又は素子に加えて、一つ以上の他の構成要素、段階、動作及び/又は素子の存在又は追加を排除しない。
【００１７】
本発明の実施形態による生体信号測定装置は、人体の生理学的な電位差によって発生される生体信号を測定することができる。例えば、本発明の実施形態による生体信号測定装置は、心電図ＥＣＧ（ｅｌｅｃｔｒｏｃａｒｄｉｏｇｒａｍ）、筋電図ＥＭＧ（ｅｌｅｃｔｒｏｍｙｏｇｒａｍ）、脳電図ＥＥＧ（ｅｌｅｃｔｒｏｅｎｃｅｐｈａｌｏｇｒａｍ）、電気性皮膚反射ＧＳＲ（ｇａｌｖａｎｉｃ  ｓｋｉｎ  ｒｅｆｌｅｘ）及び眼球運動ＥＯＧ（ｅｌｅｃｔｒｏｏｃｕｌｏｇｒａｐｈｙ）などを測定することができる。
【００１８】
本発明の実施形態による生体信号測定装置は、複数個の検出電極と、各々の電極に対応されて装着される機能別モジュールと、モジュールを連結する連結線と、を含む。生体信号測定装置の機能別モジュールには、アナログ信号である生体電位を検出することができる生体信号検出モジュールと、電源を供給する電源供給モジュールと、検出された生体信号を伝送する生体信号伝送モジュールと、検出された生体信号を格納する生体信号格納モジュールとがありうる。
【００１９】
本発明の実施形態で、生体信号測定装置を構成するモジュールは、当該モジュールの動作状態を示す表示部と、使用者に当該モジュールの操作を提供する操作部と、を含む。
【００２０】
本発明の実施形態で、生体信号測定装置を構成するモジュールは、他のモジュールとの連結のために複数個のモジュール連結ポートを具備することができる。本発明の実施形態で、モジュール連結ポートは、用途によって生体信号データの入出力を転換して使用することができ、モジュール連結ポートを通じて電源が供給されることができる。
【００２１】
以下、図面を参照して本発明の実施形態による生体信号測定装置に対して詳細に説明する。
【００２２】
図１は、本発明の一実施形態による生体信号測定装置の概略構成図である。
【００２３】
図１を参照すると、本発明の一実施形態による生体信号測定装置は、第１及び第２検出電極１０、２０と、各々の検出電極１０、２０に装着される生体信号検出モジュール１１０と、電源供給モジュール１２０と、を含む。
【００２４】
第１及び第２検出電極１０、２０は、生体信号測定の際に皮膚に接着されて人体から発生される生体信号、即ち、生体電位を検出することができる。第１及び第２検出電極１０、２０は、使い捨ての電極であってもよく、生体信号測定装置のモジュール１１０、１２０の各々に結合及び分離されることができる。
【００２５】
生体信号検出モジュール１１０は、アナログ信号である生体信号を検出し、生体信号から変換されたデジタル信号の生体信号データを生成する。
【００２６】
電源供給モジュール１２０は、生体信号検出モジュール１１０に電源を供給する。
【００２７】
生体信号検出モジュール１１０及び電源供給モジュール１２０の各々は、モジュールの動作状態を示す表示部を具備することができ、使用者に当該モジュールの操作を提供する操作部（例えば、スイッチ、ボタン）も具備することができる。
【００２８】
連結線２００は、各々の検出電極１０、２０に装着されたモジュール１１０、１２０を互いに連結する。連結線２００は、生体信号データを伝送することができるデータラインと、電源を供給する電源ラインと、を含むことができる。連結線２００は、両終端に連結されたコネクタを通じてモジュール１１０、１２０のモジュール連結ポートに接続されることがができる。又、連結線２００は、ハンダ付けを通じてモジュール１１０、１２０に固定されることができる。このような連結線２００は、生体信号測定の際に使用者が自由に活動することができるように柔軟性（ｆｌｅｘｉｂｉｌｉｔｙ）及び伸縮性（ｅｌａｓｔｉｃｉｔｙ）を有することができる。
【００２９】
図２は、本発明の一実施形態による生体信号測定装置で検出電極とモジュールとの間の結合を示す図である。
【００３０】
図２を参照すると、生体信号測定装置で検出電極１０は、接着性パッド１１と、導電性電極１２と、モジュール連結部１３と、を含む。
【００３１】
接着性パッド１１は、非導電性（ｎｏｎｃｏｎｄｕｃｔｉｖｅ）又は絶縁物質（ｉｎｓｕｌａｔｉｎｇ  ｍａｔｅｒｉａｌ）に形成されることができ、例えば、紙又は絶縁性樹脂などが利用されることができる。又、接着性パッド１１は、円形又は四角形などの多角形の形状を有することができる。
【００３２】
導電性電極１２は、接着性パッド１１の一面の中心に固定され、モジュールと結合されることができるモジュール連結部１３を具備する。モジュール連結部１３は、導電性電極１２で突出された突起（即ち、スナップ（ｓｎａｐ））を有することができ、接着性パッド１１の中心を貫通することができる。このような導電性電極１２は、例えば、チタンＴｉ、金、白金、又はＡｇ／ＡｇＣｌのような物質で形成されることができる。
【００３３】
検出電極１０に装着されるモジュール１１０は、モジュール１１０に具備される各種の集積回路が実装された印刷回路基板ＰＣＢと、印刷回路基板を囲むモジュールケースと、を含む。生体信号測定の際に屈曲を有する皮膚表面により安定的に接着され、使用者の不便なことを減らすために、集積回路は、フレキシブル（ｆｌｅｘｉｂｌｅ）基板上に実装されることができる。モジュールケースは、検出電極１０を結合することができる締結溝１１１を有することができる。即ち、検出電極１０のモジュール連結部１３をモジュール１１０の締結溝１１１に挿入固定することができる。
【００３４】
図３は、本発明の一実施形態による生体信号測定装置の分散されたモジュールの各々の概略的な構成を示す図である。
【００３５】
図３を参照すると、生体信号検出モジュール１１０は、生体信号検出部１１２と、信号測定操作及び状態表示部１１４と、主制御部１１６と、モジュール連結ポート１１８と、を含む。
【００３６】
生体信号検出部１１２は、アナログ信号処理部と、Ａ／Ｄ変換部と、デジタル信号処理部と、を含む。アナログ信号処理部は、第１及び第２検出電極１０、２０から検出される人体の微細な電気信号を増幅する増幅器（ａｍｐｌｉｆｉｅｒ）と、生体信号測定の際に発生されたノイズを除去するためのフィルタ（ｆｉｌｔｅｒ）と、を含むことができる。Ａ／Ｄ変換部は、アナログ信号処理部から伝えられたアナログ形態の生体信号をデジタル形態の生体信号データに変換する。デジタル信号処理部は、Ａ／Ｄ変換部から伝えられた生体信号データを所定のデジタル演算過程（例えば、ＦＦＴ（Ｆａｓｔ  Ｆｏｕｒｉｅｒ  Ｔｒａｎｓｆｏｒｍ）演算、微分演算、平均演算）を通じて信号処理を実行する。
【００３７】
信号測定操作及び状態表示部１１４は、使用者の命令によって生体信号検出を制御することができ、生体信号検出モジュール１１０の動作状態を表示する。又、信号測定操作及び状態表示部１１４は、生体信号検出部１１２で得られた生体信号データを使用者に表示することができる。
【００３８】
主制御部１１６は、生体信号検出部１１２、信号測定操作及び状態表示部１１４及びモジュール連結ポート１１８と連結されて、生体信号の検出、他のモジュールとのデータ通信及び電源連結を制御する。
【００３９】
モジュール連結ポート１１８は、連結線２００が接続されてモジュールの間の電気的な連結を提供する。モジュール連結ポート１１８は、生体信号データのシリアル通信のためのデータ入出力ポート（例えば、ＲＳ２３２ポート、ＵＳＢポート）及び/又は電源ポートを含む。そして、モジュール連結ポート１１８を通じて電源及び生体信号データを入出力することができる。
【００４０】
又、生体信号検出モジュール１１０は、複数個の他のモジュールとの連結のために、複数個のモジュール連結ポート１１８を具備することができる。
【００４１】
電源供給モジュール１２０は、バッテリー１２２と、電源操作及び状態表示部１２４と、電源供給制御部１２６と、モジュール連結ポート１２８と、を含む。電源供給モジュール１２０は、例えば、使い捨てのバッテリー（ｄｉｓｐｏｓａｂｌｅ  ｂａｔｔｅｒｙ）又は再充電が可能なバッテリー（ｒｅｃｈａｒｇｅａｂｌｅ  ｂａｔｔｅｒｙ）を具備することができる。使用者は、電源操作部１２４を通じて電源供給モジュール１２０を操作することができ、状態表示部１２４には、電源供給状態及びバッテリー残量などが表示されることができる。モジュール連結ポート１２８には、連結線２００が接続され、連結線２００を通じて生体信号検出モジュール１１０に電源を提供する。
【００４２】
生体信号検出モジュール１１０と電源供給モジュール１２０は、終端にコネクタが連結された連結線２００を通じて電気的に連結される。コネクタは、スナップ式としてモジュール連結ポート１１８、１２８に着脱されることができる。
【００４３】
又、電源供給モジュール１２０は、複数個の他のモジュールとの連結のために、複数個のモジュール連結ポート１２８を具備することができる。
【００４４】
図４は、本発明の一実施形態による生体信号測定装置の使用形態を示す図である。本発明の一実施形態に生体信号測定装置を利用して、心電図を測定することを例として説明する。
【００４５】
図４を参照すると、本発明の一実施形態による生体信号測定装置は、生体信号検出モジュール１１０及び電源供給モジュール１２０が装着された第１及び第２検出電極１０、２０を人体の心臓部分に付着して、１-チャンネルの心電図を測定することができる。即ち、本発明の一実施形態による生体信号測定装置を付着してモジュールを動作させると、心臓筋肉の収縮及び拡張によって発生される生体電位を測定することができ、生体信号検出モジュール１１０の状態表示部に生体信号が表示されることができる。
【００４６】
図５は、本発明の他の実施形態による生体信号測定装置の概略構成図である。図６は、本発明の他の実施形態による生体信号測定装置の分散されたモジュールの各々の構成を示す図である。
【００４７】
図５及び図６を参照すると、本発明の他の実施形態による生体信号測定装置は、第１から第３の検出電極１０、２０、３０と、生体信号検出モジュール１１０と、電源供給モジュール１２０と、生体信号伝送モジュール１３０と、を含む。
【００４８】
本発明の他の実施形態で、第１から第３の検出電極１０、２０、３０、生体信号検出モジュール１１０、電源供給モジュール１２０は、本発明の一実施形態と実質的に同一であるので、重複説明を避けるためにこれに対する説明は省略する。
【００４９】
本発明の他の実施形態で、生体信号伝送モジュール１３０は、生体信号検出モジュール１１０で生成された生体信号データを有無線で他の装置に伝送する。例えば、生体信号伝送モジュール１３０は、ＲＦ方式、無線ラン（ＬＡＮ）、ブルートゥース（ｂｌｕｅｔｏｏｔｈ）又はジグベ（ｚｉｇｂｅｅ）のような近距離無線通信素子を具備して測定された生体情報を無線で外部ネットワークに伝送することができる。
【００５０】
生体信号伝送モジュール１３０は、連結線２００を通じて生体信号検出モジュール１１０と電気的に連結される。生体信号伝送モジュール１３０と生体信号検出モジュール１１０を連結する連結線２００は、生体信号データの送受信のためのデータラインと、電源の供給のための電源ラインと、を含む。即ち、生体信号伝送モジュール１３０は、連結線２００を通じて生体信号検出モジュール１１０から生体信号データ及び電源が伝達されることができる。一方、生体信号伝送モジュール１３０は、連結線２００を通じて電源供給モジュール１２０と連結することができ、生体信号検出モジュール１１０と電源供給モジュール１２０に共に連結されることができる。
【００５１】
具体的に、生体信号伝送モジュール１３０は、生体信号データ入力部１３１と、データ伝送操作及び状態表示部１３３と、有無線データ伝送部１３５と、データ伝送制御部１３７と、モジュール連結ポート１３８と、を含む。
【００５２】
生体信号データ入力部１３１は、生体信号検出モジュール１１０で生成された生体信号データが入力される。入力された生体信号データは、有無線データ伝送部１３５を通じて外部機器（例えば、ＰＣ、ネットワーク、ＰＤＡ）に伝送されることができる。
【００５３】
データ伝送操作及び状態表示部１３３は、使用者の命令によってデータ伝送可否及びデータ伝送方式を制御することができ、データ伝送状態及び生体信号伝送モジュール１３０の動作状態を表示する。
【００５４】
モジュール連結ポート１３８は、連結線２００が接続されてモジュールの間の電気的な連結を提供する。モジュール連結ポート１３８は、生体信号データのシリアル通信のためのデータ入出力ポート（例えば、ＲＳ２３２ポート、ＵＳＢポート）及び/又は電源ポートを含む。そして、モジュール連結ポート１３８を通じて生体信号検出モジュール１１０から電源及び生体信号データが入力されることができる。又、モジュール連結ポート１３８は、生体信号伝送モジュール１３０に複数個が具備されることができる。モジュール連結ポート１３８を複数個具備する場合、図６に示されたことと異なり、生体信号伝送モジュール１３０は、生体信号検出モジュール１１０のみではなく、他のモジュールとも電気的に連結されることができる。
【００５５】
図７は、本発明の他の実施形態による生体信号測定装置の使用形態を示す図である。
【００５６】
図７を参照すると、本発明の他の実施形態による生体信号測定装置は、生体信号検出モジュール１１０、電源供給モジュール１２０及び生体信号伝送モジュール１３０が装着された第１から第３の検出電極１０、２０、３０を人体の心臓部分に付着して、２-チャンネルの心電図を測定することができる。この際、生体信号検出モジュール１１０が装着された第１検出電極１０は、心臓を搏動させるパルスが発生されるソースであるＳＡノードの近くに接着することが望ましいことがありうる。
【００５７】
即ち、本発明の一実施形態による生体信号測定装置を皮膚に付着してモジュールを動作させると、心臓筋肉の収縮及び拡張によって発生される生体電位を測定することができ、生体信号検出モジュール１１０の状態表示部に生体信号が表示される。又、生体信号伝送モジュール１３０を通じて生体信号測定装置で測定された生体信号が外部機器に伝送される。
【００５８】
図８は、本発明のまた他の実施形態による生体信号測定装置の概略構成図である。図９は、本発明のまた他の実施形態による生体信号測定装置の分散されたモジュールの各々の構成を示す図である。
【００５９】
図８及び図９を参照すると、本発明のまた他の実施形態による生体信号測定装置は、第１から第４の検出電極１０、２０、３０、４０と、生体信号検出モジュール１１０と、電源供給モジュール１２０と、生体信号伝送モジュール１３０と、生体信号格納モジュール１４０と、を含む。
【００６０】
本発明のまた他の実施形態で、第１乃至第４検出電極１０、２０、３０、４０、生体信号検出モジュール１１０、電源供給モジュール１２０及び生体信号伝送モジュール１３０は、本発明の他の実施形態と実質的に同一であるので、重複説明を避けるためにこれに対する説明は省略する。
【００６１】
生体信号格納モジュール１４０は、連結線２００を通じて生体信号検出モジュール１１０、電源供給モジュール１２０及び生体信号伝送モジュール１３０と選択的に連結されることができる。又、生体信号格納モジュール１４０は、同時に複数個の他のモジュールとも連結されることができる。
【００６２】
生体信号格納モジュール１４０と異なるモジュールを連結する連結線２００は、生体信号データの送受信のためのデータラインと、電源の供給のための電源ラインと、を含む。例えば、生体信号格納モジュール１４０には、連結線２００を通じて生体信号伝送モジュール１３０から生体信号データ及び電源が伝達される。
【００６３】
生体信号格納モジュール１４０は、生体信号検出モジュール１１０で獲得された生体信号データを格納することができる。具体的に、生体信号格納モジュール１４０は、メモリ１４２と、メモリ操作及び状態表示部１４４と、メモリ制御部１４６と、モジュール連結ポート１４８と、を含む。メモリ１４２は、例えばＲＡＭ及び/又はフラッシュ（ｆｌａｓｈ）メモリであり、生体信号データを格納することができる。
【００６４】
メモリ操作及び状態表示部１４４は、使用者の命令によってデータ格納有無及び格納されたデータを制御することができ、メモリ容量及び生体信号格納モジュール１４０の動作状態を表示する。
【００６５】
メモリ制御部１４６は、生体信号格納モジュール１４０の動作を制御する。即ち、メモリ制御部１４６は、生体信号データの入出力、メモリ１４２及びメモリ操作及び状態表示部１４４を制御する。
【００６６】
モジュール連結ポート１４８には、連結線２００が接続されてモジュールの間の電気的な連結を提供する。モジュール連結ポート１４８は、生体信号データのシリアル通信のためのデータ入出力ポート（例えば、ＲＳ２３２ポート、ＵＳＢポート）及び/又は電源ポートを含む。そして、モジュール連結ポート１４８を通じて生体信号伝送モジュール１３０から電源及び生体信号データが入力されることができる。又、生体信号格納モジュール１４０は、複数個のモジュール連結ポート１４８を具備するので、モジュール連結ポート１４８を通じて他のメモリ格納モジュールが追加的に連結されることができる。
【００６７】
一方、本発明の他の実施形態で、生体信号伝送モジュール１３０が省略されることができ、代わりに生体信号格納モジュール１４０が連結線を通じて生体信号検出モジュール１１０と直接に連結されることができる。
【００６８】
図１０は、本発明のまた他の実施形態による生体信号測定装置の使用形態を示す図である。図１０を参照すると、本発明のまた他の実施形態による生体信号測定装置は、各々にモジュール１１０、１２０、１３０、１４０が分散されて装着された第１から第４の検出電極１０、２０、３０、４０を人体の心臓部分に付着して、３-チャンネルの心電図を測定することができる。この際、生体信号検出モジュール１１０が装着された第１検出電極１０は、心臓の搏動を起こすソースであるＳＡノードの近くに接着することが望ましいことがありうる。
【００６９】
本発明の一実施形態による生体信号測定装置を付着してモジュールを動作させると、心臓筋肉の収縮及び拡張によって発生される生体電位を測定することができ、生体信号検出モジュール１１０の状態表示部に生体信号が表示される。又、生体信号伝送モジュール１３０を通じて生体信号測定装置で測定された生体信号が外部機器に伝送される。又、生体信号の長時間の測定の際に、生体信号検出モジュール１１０から生成された生体信号データが生体信号格納モジュール１４０に格納される。
【００７０】
又、本発明のまた他の実施形態でモジュール１１０、１２０、１３０、１４０間の連結は、人体の屈曲、或いは動きを考慮して多様な形態に変わることができる。
【００７１】
図１１から図１４は、本発明の実施形態による生体信号測定装置でモジュールの間の多様な連結形態を示す図である。
【００７２】
図１１及び図１２を参照すると、電源供給モジュール１２０、生体信号伝送モジュール１３０及び生体信号格納モジュール１４０の全てが生体信号検出モジュール１１０に共通に連結されることができる。
【００７３】
又、図１３及び図１４を参照すると、生体信号検出モジュール１１０が連結線２００を通じて電源供給モジュール１２０及び生体信号伝送モジュール１３０と連結する。そして、生体信号格納モジュール１４０が連結線を通じて電源供給モジュール１２０と直接連結されることができる。このような場合、生体信号格納モジュール１４０には、電源供給モジュール１２０を通じて直接電源が供給され、生体信号検出モジュール１１０で生成された生体信号データを電源供給モジュール１２０を通じて伝達されることができる。
【００７４】
以上、添付された図面を参照して本発明の実施形態を説明したが、本発明が属する技術分野で通常の知識を有した者は、本発明がその技術的な思想、或いは必須的な特徴を変更しなくて他の具体的な形態に実施されることができるということを理解することができる。従って、上述した実施形態は、全ての面で例示的なことであり、限定的なことではないことを理解するべきである。
【符号の説明】
【００７５】
１０、２０、３０、４０      検出電極
１１０      生体信号検出モジュール
１２０      電源供給モジュール
１３０      生体信号伝送モジュール
１４０      生体信号格納モジュール
２００      連結線
【図１】
2011015950.tif 000003
【図２】
2011015950.tif 000004
【図３】
2011015950.tif 000005
【図４】
2011015950.tif 000006
【図５】
2011015950.tif 000007
【図６】
2011015950.tif 000008
【図７】
2011015950.tif 000009
【図８】
2011015950.tif 000010
【図９】
2011015950.tif 000011
【図１０】
2011015950.tif 000012
【図１１】
2011015950.tif 000013
【図１２】
2011015950.tif 000014
【図１３】
2011015950.tif 000015
【図１４】
2011015950.tif 000016